(57)【要約】【課題】管状の物体又はホース形状の物体を支持体上に固定するクランプである。【解決手段】クランプ（１）は、第１の及び第２の端部を有するクランプジャケット（２）を含み、第１の脚部（５）はクランプジャケット（２）の第１の端部から突き出し及び第２の脚部（６）はクランプジャケットの第２の端部から突出する。第１の脚部（５）は、開状態で第２の脚部（６）の方向に突出する突起（８、９）を有する。第２の脚部（６）は、突起（８、９）と突起（８、９）の反対側に配置される第１の脚部（５）の隣接する部分との間の隙間に挿入できる締め付け部分１０を含み、その際、クランプの閉状態で、突起（８、９）は、第１の脚部から見て外方に向く締め付け部分（１０）の外側に向かって塑性変形される。【選択図】図２
2007298176.tif 000002
【特許請求の範囲】
【請求項１】
第１の及び第２の端部を有するクランプジャケット、前記第１の端部から突出する第１の脚部及び前記第２の端部から突出する第２の脚部を含み、
前記第１の脚部（５）が、前記第２の脚部（６）に向かう方向に突出する少なくとも１つの突起（８、９）を有し、及び前記第２の脚部（６）が、前記少なくとも１つの突起（８、９）と前記少なくとも１つの突起（８、９）の反対側に配置される前記第１の脚部（５）に隣接する領域との間の隙間（２９）に挿入できる締め付け部分（１０）を有し、
前記クランプの閉状態で、前記少なくとも１つの突起（８、９）が、前記第１の脚部（５）から見て外方を向く前記締め付け部分（１０）の外側（２６）上で塑性変形されることを特徴とする、管状の物体又はホース形状の物体を支持体に固定するクランプ。
【請求項２】
前記締め付け部分（１０）が、前記第２の脚部（６）から前記第１の脚部（５）に向かう方向に突出することを特徴とする請求項１に記載のクランプ。
【請求項３】
前記隣接する部分が、前記第１の脚部（５）から前記第２の脚部（６）に向かう方向に突出する第２の突起（８、９）として構成され、
前記閉状態で、前記第２の突起が前記締め付け部分（１０）の前記外側（２６）上で塑性変形されることを特徴とする請求項１又は２に記載のクランプ。
【請求項４】
前記締め付け部分（１０）の前記外側（２６）が、前記第２の脚部（６）の前記外側に対して、前記第１の脚部（５）に向かう方向に、前記突起（８、９）の厚さに等しい距離だけ偏位していることを特徴とする請求項１から３のいずれか１項に記載のクランプ。
【請求項５】
前記締め付け部分（１０）が、前記第１の脚部（５）に向かって方向付けられる湾曲（１２）を有することを特徴とする請求項１から４のいずれか１項に記載のクランプ。
【請求項６】
前記締め付け部分（１０）が、前記第２の脚部（６）の円周方向の縁に配置されることを特徴とする請求項１から５のいずれか１項に記載のクランプ。
【請求項７】
前記第２の脚部（６）が、前記締め付け部分（１０）に隣接して、前記突起（８、９）が閉状態のとき挿入される凹所（３０、３１）を有することを特徴とする請求項１から６のいずれか１項に記載のクランプ。
【請求項８】
前記少なくとも１つの突起（８、９）が、その長手方向に沿って、前記第１の脚部（５）から所定の距離を有することを特徴とする請求項１から７のいずれか１項に記載のクランプ。
【請求項９】
前記脚部（６）が、前記シェルジャケット（２）から直角に屈曲され、前記クランプが、屈曲領域に、少なくとも１つのひだ（２４）による補強部を有することを特徴とする請求項１から８のいずれか１項に記載のクランプ。
【請求項１０】
前記ひだが、前記屈曲領域から完全に外側に伸びることを特徴とする請求項９に記載のクランプ。
【請求項１１】
１つの脚部（５）が、前記クランプジャケット（２）の接線に対して平行に伸び、前記１つの脚部（５）が所定の距離だけ外側に偏位することを特徴とする請求項１から１０のいずれか１項に記載のクランプ。
【請求項１２】
前記１つの脚部（５）と前記クランプジャケット（２）の間の移行領域（２７）が、少なくとも横方向から部分（２８）に沿って逸脱することを特徴とする請求項１１に記載のクランプ。
【請求項１３】
前記少なくとも１つの脚部（６）に、補強板（７）が提供されることを特徴とする請求項１から１２のいずれか１項に記載のクランプ。
【請求項１４】
前記補強板（７）が、前記脚部（６）の折り畳まれた伸長部（１３）で形成されることを特徴とする請求項１３に記載のクランプ。
【請求項１５】
前記補強板（７）と前記脚部（６）の間にリベット様の結合（１８）を含むことを特徴とする請求項１３又は１４に記載のクランプ。
【請求項１６】
前記補強板（７）と前記脚部（６）がそれぞれ貫通孔（１６、１７）を有し、及び前記補強板（７）と前記脚部（６）のうちの１つの材料が、前記補強板（７）と前記脚部（６）のうちのもう一方の前記貫通孔（１６）を通って変形されることを特徴とする請求項１５に記載のクランプ。
【請求項１７】
前記貫通孔（１６）が、円形状から偏移した形状を有することを特徴とする請求項１６に記載のクランプ。
【請求項１８】
前記補強板（７）が、前記クランプジャケット（２）と向かい合う裏縁に角度のある領域を有することを特徴とする請求項１３から１７のいずれか１項に記載のクランプ。
【請求項１９】
前記補強板（７）が、前記締め付け部分（１０）をブリッジすることを特徴とする請求項１３から１８のいずれか１項に記載のクランプ。
【請求項２０】
前記クランプジャケット（２）が、断面が環状である複数の受け取り空間（４ａ、４ｂ）を取り囲むことを特徴とする請求項１３から１９のいずれか１項に記載のクランプ。
【請求項２１】
前記それぞれの脚部（５、６）が屈曲部を有し、前記クランプの閉状態である間、前記１つの脚部の屈曲部が、前記もう一方の脚部の屈曲部に載ることを特徴とする請求項１から２０のいずれか１項に記載のクランプ。
【発明の詳細な説明】
【技術分野】
【０００１】
本発明は、管状の物体又はホース形状の物体を支持体に固定するクランプに関する。クランプは、第１の及び第２の端部を有するクランプジャケットを含み、その際第１の脚部がクランプジャケットの第１の端部から突き出し及び第２の脚部がクランプジャケットの第２の端部から突出する。
【背景技術】
【０００２】
上述の型のクランプは、例えばＤＥ３８０８３３４Ｃ１で開示されている。クランプジャケットは、Ｃ字型になるように湾曲し及び管、ホース又はその種のものが配置できる受け取りチャンバを取り囲む。そして、２つの脚部は、１つがもう一方の頭頂部上に配置され、それによりそこに配置される管、ホース又はその種のものを含むクランプが、支持体、例えば、けた、天井、壁、ハウジング又は同様のものに固定される。２つの脚部は一致する貫通孔を有し、それを通って締め付け要素、例えばねじが案内されうる。
【０００３】
支持体上への組み立ての前に、クランプを管状の物体又はホース形状の物体に固定することを可能にするために、この既知のクランプは予備的に固定することができる。この目的のために、クランプは固定構造を有する。固定構造は、Ｓ字型に曲げられ及び１つの脚部上に取り付けられた弾力性のある突起を含み、もう一方の脚部が弾力性のある突起の背後で自由端表面と結合できる。突起が互いに固定された後、クランプジャケットは一定の張力下で管状の物体又はホース形状の物体に対して載り、それによりクランプはこの物体上で回転しないし、軸方向に移動もしない。
【０００４】
上述のクランプは、多くの分野のアプリケーションで有用であると考えられている。しかし、いくつかの場合において、管状の物体又はホース形状の物体の運搬中に組立済みのクランプがどこかで捉えられる場合に、固定された結合が引き離されるという課題が存在する。その場合、組立済みのクランプは、管状の物体又はホース形状の物体上でその位置又は配列を変更する。
【発明の開示】
【発明が解決しようとする課題】
【０００５】
従って、本発明の主要な目的は、確実に予め組み立てられるクランプを提供することである。
【課題を解決するための手段】
【０００６】
本発明によると、第１の脚部は、開状態で第２の脚部の方向に突出する突起を有する。第２の脚部は、突起とその突起の反対側に配置される第１の脚部の隣接する部分との間の隙間に挿入できる締め付け部分を含み、その際、クランプの閉状態において、その突起は第１の脚部からみて外方に向く締め付け部分の外側に向かって塑性変形される。
【０００７】
本発明による構造により、組立済みのクランプの偶発的な分離に対する非常に高い安全性が可能となる。この結合では、「開状態」は、クランプがまだその物体に予備的に固定されていないクランプの状態を述べ、それは２つの脚部が互いにまだ距離を有することを意味する。さらに、クランプジャケットにより取り囲まれた受け取りチャンバは、その物体よりも大きい断面を有する、一方、「閉状態」は、２つの脚部が互いに固定された状態であり、それによりクランプジャケットで取り囲まれた受け取りチャンバは、クランプジャケットがその物体に対して一定のプレテンションで載るような方法でその物体に適合される。突起が締め付け部分上で塑性変形されるので、突起は弾力的な移動では引き離されない。この手段により、予備的な取り付けの偶発的な分離に対する安全性が増大する。さらに、締め付け部分は、クランプが閉状態にあるとき、突起とその隣接部分との間の隙間を通って案内される。その結果、締め付け部分の側方の可縮が回避される。１つの側面の任意の移動が突起により、もう一方の側面の移動は隣接する部分により回避される。従って、第１の脚部に対する第２の脚部の可動性は、偶発的な分離がほとんど起こらない程度に制限される。
【０００８】
有利な特徴によると、締め付け部分は第２の脚部から第１の脚部に向かう方向へ突出する。この特徴の結果、クランプジャケットから脚部の端部への方向の２つの脚部の相対移動は、確実に回避される。１つの方向では、第２の脚部は突起に衝突する。反対方向では、締め付け部分が第１の脚部に衝突する。２つの脚部の長手方向の相対移動が回避されるので、こうした相対移動の結果としての偶発的な分離は発生しない。
【０００９】
好ましい特徴によると、隣接する部分は、第１の脚部から第２の脚部に向かう方向へ突出する突起としても構成される。閉状態では、隣接する部分を形成する突起が、締め付け部分のもう一方の側面に向かって塑性変形される。その結果、締め付け部分は２つの突起の間に保持され、それにより２つの脚部の相対的な横方向の移動も回避される。その後締め付け部分は基本的に左右対称に保持される。
【００１０】
別の好ましい特徴によると、締め付け部分の外側は、第２の脚部の外側に対して、突起の厚さに相当する第１の脚部に向かう方向に偏位する。その偏位は、突起の厚さと全く一致する必要はない。しかし、この構造により、２つの平坦な動作表面が、互いに固定される２つの脚部で得られることが可能となる。その後クランプは、２つの異なる方向で、いかなる突出部分も有することなく組み立てられる。
【００１１】
好ましい特徴によると、締め付け部分は、第１の脚部に向かって方向付けられる湾曲を有する。この湾曲により締め付け部分の機械的安定性が増大する。さらに、その湾曲により、締め付け部分を１つ又はそれ以上の突起により画定される隙間に「ねじ付ける」ことが容易になる。さらに、その湾曲により、締め付け部分の外側上の１つ又はそれ以上の突起の塑性変形が、固定結合の分離をさらに困難にする小さい更なる積極的な結合を作り出すことが可能となる。
【００１２】
締め付け部分は、好ましくは第２の脚部の円周上の縁に配置される。この円周上の縁は、例えば、第２の脚部の端部表面に配置された縁、つまりクランプジャケットから可能な限り遠い位置に配置された縁である。しかし、それは脚部の長手方向の側面での縁でもある。いずれにしても、この縁の位置によりその単純な製造が促進される。締め付け部分及び１つ又は複数の突起は、その後外側から接近可能となり、それにより不必要な打ち抜き処理が回避される。
【００１３】
第２の脚部は、好ましくは締め付け部分の隣に凹所を有し、その際その突起は閉状態で挿入できる。これにより締め付け部分の反対側に配置される突起の側面上における横方向の制限もまたもたらされ、それによりこの特徴が互いに対する２つの脚部の可動性を削減する更なる手段を提供する。
【００１４】
別の好ましい特徴によると、突起はその長手方向に沿って、第１の脚部から所定の距離を有する。これにより、突起が自由に変形できる、つまり第１の脚部からなんら影響を受けずに変形できることが確実となる。突起が第１の脚部で捕まるという危険は存在しない。これは変形に対する否定を意味する。
【００１５】
１つの脚部は、好ましくはクランプジャケットに対して直角に屈曲し、その際クランプは、その屈曲領域に少なくとも１つのひだの形状をした補強を有する。クランプが、例えば、壁、天井などの支持体に固定されるときには、直角に屈曲した脚部が第２の脚部に向かって移動し、その際この移動により管状又は円筒状の物体による一定の抵抗が受取られる。結果として、屈曲した脚部は、強い引っ張り負荷の影響を受ける。強い引っ張り負荷とは、クランプの材料上で動作する大きな負荷が存在することを意味する。屈曲したクランプとクランプジャケット間の湾曲領域及び屈曲領域の力は小さく維持され、及び、力はクランプの残りの円周にわたり均一に分配される。
【００１６】
ひだは、好ましくは端部分から完全に外側に伸びる。結果として、ひだは、直接「屈曲部」すなわち湾曲の幅に関連するのでクランプの内部にいくらか移動でき、それにより１つはクランプの縁領域に限定されない。その場合、ひだが内側から外側に向かって伸びるので、ねじ付きボルトの頭部を締め付けるのに十分な空間が残ることが確実である。
【００１７】
１つの脚部は、好ましくはクランプジャケットの接線に対して平行に伸び、及び所定の距離で外側に偏位される。この構造は、クランプが管状の物体又はホース形状の物体を保持する領域で、クランプにゴムのような材料が提供される場合に、特定の利点を有する。このゴムのような材料、例えば、ＥＰＤＭ（エチレン・プロピレン・ジエンゴム）は、クランプジャケットの周りでＣ字型に結合し、その際Ｃ字の背後はシェルジャケットの内部に配置される。接線方向に伸びる脚部を所定の距離で外側に偏位させることにより、ゴムのような材料を結合領域に提供するために、十分な空間がクランプジャケットの領域に提供される。従って、ゴムのような材料上で動作する過度の圧力の危険もなく、クランプは支持体にねじ付けられることができる。
【００１８】
好ましくは、脚部とクランプジャケットとの間の移行部分が、少なくとも横方向からの部分に沿って突き出す。原則として、Ｓ字型又はＺ字型の移行領域で、通常の金属薄板の細長片で作られるクランプの材料の変形することにより偏位を作り出すことで十分である。この変形が、移行部分の横方向にわたり均一に作られるのではなく、変形が、例えば、Ｖ字型である場合、舌又は振動といった動作中に作動する負荷に対する脚部の曲げ剛性を増大させる補強ひだが得られる。このひだを強化した結果として、一次材の構造的変化により、選択された場所で低温硬化が達成される。
【００１９】
少なくとも１つの脚部には、好ましくは補強板が提供される。ほとんどの場合、単一の脚部だけに補強板が提供される場合で十分である。その場合、補強板は、各脚部と、クランプを支持体に固定するのに使用されるねじ付きボルトの頭の間に配置される従来使用されてきたワッシャーに取って代わる。補強板により、更なる強化が作り出される。
【００２０】
補強板は、好ましくは脚部の伸長部が折り畳まれることで形成される。これにより、製造が容易になる。製造に際し更なる部品を提供する必要はない。むしろ、金属薄板の細長片が、適切な伸長を用いて、例えば打ち抜きにより製造されうる。その後補強板は細長片の残り上で単純に１８０度屈曲され及び細長片に結合され、それにより脚部には補強板が提供される。
【００２１】
これと関連して、補強板と脚部がリベットのような結合を有することが提供される。こうしたリベットのような結合がプレス機械又は打ち抜き機で容易に実行され、それにより伸長部が折り畳まれた後、補強板と脚部を結合する単一の作動工程を実行することが基本的には必要なだけである。
【００２２】
好ましくは、補強板と脚部の２つの部品のそれぞれが貫通孔を有し、及び部品のうちの１つの材料がもう一方の部品の貫通孔を通じて変形される。このようにして、リベットのような結合を作り出すことが可能である。この目的のために、２つの部品には、例えば、小さい貫通孔のふちがその後大きい貫通孔の内周に変形される異なる径を有する貫通孔が提供され、それにより十分な固定が確実となる積極的な結合が達成される。
【００２３】
好ましい特徴によると、貫通孔は、円形状から偏移した形状を有する。このことにより、偶然に少なくとも脚部とほぼ同一形状である補強板が、脚部上で回転せずに固定されることが確実となる。特にねじ止め工程の終わりに向かって、部分的に大きなトルクがねじ頭から補強板上で動作し、補強板は、円形状から偏移した貫通孔の形状により十分なほどに吸収されうる。貫通孔は、単純に楕円形である。しかし、貫通孔は、多角形の周縁が提供されてもよい。
【００２４】
補強板は好ましくは、クランプジャケットと向かい合う裏縁で角度のある部分を有する。これは補強板の裏縁の補強をもたらし、それにより補強板に使用される材料が、通常強度が低いクランプジャケット及び脚部の材料に対応しても、標準的な補強板の強度に等しい強度を達成することが可能である。上述のひだは、補強板の角度のある部分に追加として又は排他的に配置できる。
【００２５】
補強板は、好ましくは締め付け部分を覆う。これは、補強板が、１つ又はそれ以上の突起を締め付け部分の外側で下に曲げる及び塑性変形させるのに使用できるという利点をもたらす。その後補強板は突起の端部を覆い、それにより突起の偶発的な捕捉又は屈曲の危険は小さいままである。
【００２６】
各脚部は好ましくは屈曲部を有し、その際、閉状態では、１つの脚部がもう一方の脚部の屈曲部に屈曲して配置される。これにより、管状の物体又はホース形状の物体のアセンブリの方向変更を回避することが可能となる。
【００２７】
本発明を特徴付ける新規性の様々な特徴が、特に添付の請求項で指摘され及び開示の一部を形成している。本発明のよりよい理解、その動作特徴、使用に際し実現される特定の目的のために、参照符号が、本発明の図示された及び記載された好ましい実施形態が存在する記述的な図面及び問題に付される。
【発明を実施するための最良の形態】
【００２８】
図１及び図２は、例えばＥＰＤＭといったゴムのような材料３で裏打ちされ、及び受け取りチャンバ４を取り囲むＣ字型のクランプジャケット２を伴うクランプ１を示している。図１に示されるような、閉状態又は基本的に閉状態では、受け取りチャンバ４が基本的に円形の円周方向の壁を有し、それによりクランプ１が閉められると、管状の物体又はホース形状の物体が受取りチャンバ４内に固定される。
【００２９】
クランプ１は、クランプジャケット２から基本的に直線に沿って伸びる第１の脚部５を含む。クランプ１はさらに、クランプジャケット２に対して直角に屈曲する第２の脚部６を含む。第２の脚部上、つまり第１の脚部からみて外方に向く側では、第２の脚部６に補強板７が提供される。
【００３０】
図２に示されるように、クランプ１が開いている場合、クランプ１は、詳細には示されていないが管状の物体又はホース形状の物体に押し込まれる。２つの脚部５、６を一緒に押圧することにより、クランプ１はこの物体上に予備的に固定される。この結合を維持するために、第１の脚部５は第２の脚部６に向かう方向に第１の脚部５から屈曲する２つの突起８、９を有する。図６からわかるように、２つの突起８、９はその長手方向の伸長部に沿って第１の脚部５の残りから一定の距離を有する。突起は、それらの比較的狭い端面でのみ第１の脚部５と結合される。
【００３１】
第２の脚部６は、第１の脚部５に向かう方向に第２の脚部６から屈曲する締め付け部分１０を有し、その際第２の脚部６は、クランプ１が形成されるほぼ金属薄板の細長片１１の厚さだけ曲げられる。
【００３２】
締め付け部分１０は、２つの脚部５、６が依然互いに引き離されているときに第１の脚部５に向かって方向付けられるわずかな湾曲１２を有する。
【００３３】
しかし、クランプ１が閉状態にあるとき、つまり、予備的に固定された状態のときに、図４の図解に関連して、底面で完全に平坦なアセンブリ表面を得るために、締め付け部分の湾曲を省略することもできる。
【００３４】
補強板７は、クランプ１が製造される金属薄板の細長片１１の突出部分１３により形成される。突出部分１３は、接合部分１４を介して金属薄板の細長片１１に結合され、その際接合部分１４は、できる限り薄いマテリアルブリッジを形成するために、金属薄板の細長片１１を突出部分１３から引き離す凹所１５を有する。図６に示される金属薄板の細長片１１は、打ち抜き工程でその突出部分１３を伴って製造され、その際、２つの突起８、９及び締め付け部分１０も作られる。この後、この方法で補強板７を作り出すために、突出部分１３は金属薄板の細長片１１上で折り畳まれる。その後補強板７はほぼ突起８、９の厚さに相当する距離で締め付け部分１０を覆う。
【００３５】
突出部分１３は、楕円形の孔１６を有する。金属薄板の細長片１１は、楕円形の孔１６より小さい貫通孔１７を有する。図５からわかるように、第２の脚部６の環状部分１８が、その後楕円形の孔１６を通って変形され、それによりリベット結合の型が形成される。環状部分１８は、その外側上の補強板７に渡り結合する小型フランジ１９をさらに含み、それにより補強板７は第２の脚部６とポジティブに結合する。
【００３６】
第２の脚部６と補強板７との間が結合されるとすぐに、補強板７を伴う第２の脚部６を最終的に形成するために、破線２０に沿って切り欠きが行われる。
【００３７】
第１の脚部５もまた貫通孔２１を有し、それは、２つの脚部５、６が互いに載ると、楕円形の孔としても構成される貫通孔１７と一直線上になる。それにより、クランプ１を例えばけた、天井、壁、ハウジング又はその種のものといった支持体に締め付けることができるようにするために、例えば、ねじといった締め付け要素が案内されうる。
【００３８】
補強板７は、クランプジャケット２と向かい合う端部に、更なる補強として役立つ屈曲部分２２を有する。図６の破線２３は、部分２２が屈曲するところを示している。
【００３９】
屈曲部分２２には、補強板７が提供される第２の脚部６の曲げ剛性をさらに増大するために、補強ひだ２４がさらに提供される。屈曲部分２２は、補強板を第２の脚部６上で折り重ねる前に又はその間に作られる。補強板７に屈曲部分２２を提供することにより、補強板７が脚部６上でノッチ効果を有することが回避される。振動を伴う好ましくない環境下で、意図された破壊点に至る脚部６に押し付ける補強板７の端部に鋭い縁は存在しない。
【００４０】
補強板７が提供されても、完全なクランプ１は、その製造中に実際には金属薄板の細長片から打ち抜かれた一体成形として取り扱われる。これがクランプの製造において重要な利点をもたらす。
【００４１】
クランプ１を詳細には図示されていない物体に予備的に固定して、最初に２つの脚部５、６が、図３に示されたような程度まで互いに向かって移動する。図３に示される状態に至る移動の間に、締め付け部分１０が２つの突起８、９との間の隙間を通って案内される。この工程で、２つの突起８、９は補強板７に衝突する。更なる移動は当初は不可能であり、むしろ、更なる移動は、２つの脚部５、６が互いに強い力で押圧される場合にのみ可能である。
【００４２】
２つの脚部５、６が例えばプライヤーを用いて互いにさらに押圧されると、２つの突起８、９が、補強板７と締め付け部分１０との間に形成される空間２５内に塑性屈曲及び塑性変形される。その結果、２つの脚部５、６が互いに固定され及びクランプ１は予備的に固定される。
【００４３】
プライヤーが脚部５、６を互いに押圧するために使用される場合、これらのプライヤーが、その顎の１つに、２つの貫通孔１７、２１を通って案内されるピンのような突出部分を有することが好ましい。その後この突出部分により、２つの脚部５、６が互いに対して固定されることが確実となる。その後同時にこれらのプライヤーは、２つの突起８、９を屈曲させるために使用できる。クランプ１は、予備的に固定される必要はない。むしろ、クランプ１は「従来の」クランプとしても使用できる。その場合、クランプ１が締め付けられると、作業者は２つの貫通孔を通じてねじを案内し、及び詳細には示されていないが、クランプ１を支持体に固定する。この締め付け工程の間に、突起８、９も変形される。しかし、これはクランプ１の更なる取り扱いにおいて実際的な役割を果たさない。
【００４４】
手動で作動させるフラットプライヤーに加え、予備的な固定に使用される道具もまた、例えば空気圧といった補助的な力により動作されるプライヤーでありうる。多数のクランプが製造されると、空気圧で又は油圧で動作できるアセンブリ装置を使用することも可能である。その他の力による機械的作動もまた可能である。
【００４５】
これが、実際には全ての自由度で、２つの脚部５、６の互いの移動に対する固定動作をもたらす。相互の接触を越える２つの脚部５、６の移動は不可能である。反対方向の移動もまた不可能である、というのは、２つの突起８、９が積極的な結合で締め付け部分１０上に固定されるからである。
【００４６】
図１に見られるような左から右及び右から左への２つの脚部５、６の長手方向の移動は不可能である、というのは、締め付け部分１０が１つの方向で第１の脚部５と、及びもう一方の方向で突起８、９と接触するからである。図３に見られるような左から右又は右から左の横方向の移動もまた不可能である、というのは、締め付け部分１０が突起８、９に固定されるからである。同じような考察は、２つの脚部５、６の互いに対する可能な回転移動にあてはまる。
【００４７】
クランプジャケット２に対して基本的に接線方向に配置される第１の脚部５は、接線方向に対してわずかに外側に偏位する。移行部分２７は、第１の脚部５が支持体上できつくねじ付けられるときにゴムのような材料３が押圧されないような方法で、オフセットを確実にする。
【００４８】
図６に示されるように、移行部分２７は金属薄板の細長片１１の幅にわたり均一に形成されない。むしろ、移行部分は、上面図からわかるようにＶ字型に伸びる。これが移行部分２７の剛性を与えるひだ２８をもたらす。
【００４９】
図１から図６に示されるクランプの構造では、平坦なアセンブリ表面が脚部５、６の両方の側面で利用でき、それは、組み立ての間に作業者がクランプ１を取り付けたいと思う方向性を自由に選択することができるということを意味する。第１の脚部５の外側上に形成される表面は、いかなる有害な突起物も有さず平坦であり、及び補強板７の外側側面もまた平坦である。ひだ２４は、クランプジャケット２の非常に近くに隣接して配置されるので、組立の間に邪魔にならない。従って、クランプ１が非常に柔軟に使用できる。締め付け部分１０の湾曲もまた、実際には邪魔にならない、というのは、締め付け部分１０が１ミリメートルの数分の１しか突出しないからである。これも邪魔になる場合、湾曲を伴わない締め付け部分１０を製造することも可能である。
【００５０】
図７から図１１の図は、補強板７が省略されたクランプ１の改良された実施形態を示している。この型のクランプ１は、軽い物体を固定するのに使用できる簡単な実施形態を構成する。軽い物体は、クランプ１上で低い力ですむ。同等の要素には、図１から図６と同一の参照番号が提供される。
【００５１】
図１から図６の実施形態とは対照的に、ひだ２４は、第２の脚部６がクランプジャケット２から離れて屈曲する領域に直接配置される。しかし、ひだ２４は図５のひだ２４と同一の目的を有している。
【００５２】
図９及び図１０からわかるように、２つの脚部５、６が互いの上に配置されると締め付け部分１０が２つの突起８、９の間の隙間２９を通って案内される。この実施形態では、２つの突起８、９は締め付け部分１０の外側２６上で、例えばプライヤーを用いて屈曲される。プライヤーは、好ましくは、プライヤーの顎の１つに傾斜した勾配を伴う円筒形の突出部を、及びプライヤーのもう一方の顎に貫通孔を有し、それにより２つの貫通孔１７、２１は円筒形の突出部により結合され、及び２つの脚部５、６はそれらの位置で維持され、一方で２つの突起８、９は締め付け部分１０上で屈曲される。この場合も、一旦突起８、９が適切な道具、例えばプライヤーを用いて屈曲されると、締め付け部分１０の湾曲を省略すること又はもう一度その湾曲をまっすぐにすることが可能である。
【００５３】
この実施形態でも、第２の脚部６の外側及び第１の脚部５の外側が平坦であり、それにより２つのアセンブリ表面がクランプ１で利用でき及びクランプ１が任意の望ましい方向に取り付けられることを確実にすることが可能である。
【００５４】
クランプ１を予備的に固定するとき、フラットプライヤー又は好ましくは、締め付け部分１０が２つの突起８、９の間の開口部を通って案内されるような方法で２つの脚部５、６を互いに対して位置づけるために貫通孔１７、２１を通って案内されるピンのような突出部を有する似た道具を使用することも好ましい。
【００５５】
特に図１１からわかるように、２つの凹所３０、３１は締め付け部分１０に隣接して配置される。２つの突起８、９は２つの凹所に案内される。凹所３０、３１はそれらの外側で突出部３２、３３により画定され、それにより２つの脚部５、６は互いに対してさらに固定されうる。同一の構造が図１から図６の実施形態にも提供される。
【００５６】
図１から図１１に示された固定構造の２つの実施形態では、固定構造が突起８、９及び締め付け部分１０により２つの脚部５、６の端部表面で形成される。図１２及び図１３は、突起８、９及び締め付け部分１０を伴う固定構造が２つの脚部５、６の長手方向の縁で配置される実施形態を示している。同一の要素及び互いに対応する要素には、同一の参照番号が提供される。
【００５７】
図１２によるクランプ１は、２つの受け取りチャンバ４ａ、４ｂを有し、それにより２つの管状の物体又は円筒形の物体を１つのクランプで固定することが可能である。
【００５８】
図１３からわかるように、ゴムのような材料３はクランプジャケット２の外側上で閉じられず、むしろ、隙間が残っており、それを通してクランプジャケット２が見える。
【００５９】
図１４から図１６は、基本的に図７から図１１のクランプと同一の構造であるクランプ１の別の実施形態を示している。しかし、ゴムのような材料３は省略されている。
【００６０】
図１７は、脚部５、６がそれぞれ屈曲部を有するクランプを示し、その際その屈曲部は、脚部５、６が互いに対して載ると、それらが基本的に共通の屈曲部を有するように構成される。その場合、１つの屈曲部の外側は、もう一方の屈曲部の内部に対して載る。
【００６１】
図１８から図２０はクランプ１の第６の実施形態を示し、同等の要素及び対応する要素には図１から図１７と同一の参照番号が提供される。
【００６２】
第１に、図１８から図２０の実施形態では、１つの脚部５がもう一方の脚部６を越えて伸びる。言い換えると、脚部５は脚部６を越えて長手方向に突出する。
【００６３】
このため、突起８、９は、脚部５の円周方向の縁には配置されず、むしろ、突起８、９は脚部５の真ん中に提供される開口部３４内に形成される。その他の点では、本実施形態のクランプ１もまた、図１から図１７のクランプの場合のように予備的に固定される又はあらかじめ組み立てられる。
【００６４】
クランプ１は２つの方法で土台の上に固定できる。第１に、クランプを予備的に固定する際に、ピン又はピン形状の突出部を固定ツールとして受取るためにも使用できる貫通孔１７、２１が提供される。一方で、脚部５はその屈曲部分３５に、ねじ、ボルト又はその種のものを受取るのにも使用できる更なる孔３６を有する。
【００６５】
図２１から図２３はクランプの第７の実施形態を示し、図１４から図１６の実施形態と基本的に対応する。
【００６６】
しかし、この実施形態では、２つの脚部５、６は基本的にクランプジャケット２から半径方向に突出する。その場合、脚部５、６は両方とも、クランプジャケット２から脚部５、６への移行部の剛性を達成するために、ひだ２４も有する。
【００６７】
全ての実施形態において、クランプ１は単一の金属薄板の細長片から製造でき、それにより特に単一の部品だけがクランプの製造で取り扱われる。これは、クランプ１に補強板７が提供される場合にも真実である。クランプ１の全ての実施形態は問題なく予備的に固定でき、それによりクランプ１のアセンブリも非常に単純化される。
【００６８】
本発明の具体的な実施形態が、新規の原理を図示して詳細に示され及び記載される一方で、本発明がこうした原理から逸脱することなく別の方法でも実施されることを理解されたい。
【図面の簡単な説明】
【００６９】
【図１】本発明によるクランプの第１の実施形態の立面図であり、その閉状態を示している。
【図２】開状態で示された図１のクランプの立面図である。
【図３】図５の断面線III−IIIに沿った、開状態のクランプの固定構造の、大きな縮尺での断面図である。
【図４】閉状態のクランプの固定構造の、大きな縮尺での断面図である。
【図５】図３の断面線Ｖ−Ｖに沿った断面図である。
【図６】図１及び図２のクランプを製造する細長片の上面図である。
【図７】閉状態で示されたクランプの第２の実施形態の立面図である。
【図８】開状態で示された図７のクランプの立面図である。
【図９】開状態のクランプの、矢印Ｙの方向の図面である。
【図１０】閉状態のクランプの、矢印Ｙの方向の図面である。
【図１１】図７及び図８のクランプを製造する細長片の上面図である。
【図１２】クランプの第３の実施形態の立面図である。
【図１３】図１２のクランプの上面図である。
【図１４】開状態で示されたクランプの第４の実施形態の立面図である。
【図１５】閉状態で示された図１４のクランプの立面図である。
【図１６】図１５によるクランプの斜視図である。
【図１７】クランプの第５の実施形態の斜視図である。
【図１８】クランプの第６の実施形態の斜視図である。
【図１９】図１８のクランプの立面図である。
【図２０】図１８のクランプの上面図である。
【図２１】閉状態で示されたクランプの第７の実施形態の斜視図である。
【図２２】図２１のクランプの立面図である。
【図２３】図２１のクランプの上面図である。
【符号の説明】
【００７０】
１  クランプ
２  クランプジャケット
３  ゴムのような材料
４  受け取りチャンバ
５  第１の脚部
６  第２の脚部
７  補強板
８  突起
９  突起
１０  締め付け部分
１１  金属薄板の細長片
１２  わずかな湾曲
１３  突出部分
１６  楕円形の孔
１７  貫通孔
１８  環状部分
２０  破線
２１  貫通孔
２２  屈曲部分
２３  破線
２４  補強ひだ
２５  空間
２６  締め付け部分の外側
２７  移行部分
２８  ひだ
２９  隙間
３０  凹所
３１  凹所
３２  突出部
３３  突出部
３４  開口部
３５  屈曲部分
３６  孔
【図１】
2007298176.tif 000003
【図２】
2007298176.tif 000004
【図３】
2007298176.tif 000005
【図４】
2007298176.tif 000006
【図５】
2007298176.tif 000007
【図６】
2007298176.tif 000008
【図７】
2007298176.tif 000009
【図８】
2007298176.tif 000010
【図９】
2007298176.tif 000011
【図１０】
2007298176.tif 000012
【図１１】
2007298176.tif 000013
【図１２】
2007298176.tif 000014
【図１３】
2007298176.tif 000015
【図１４】
2007298176.tif 000016
【図１５】
2007298176.tif 000017
【図１６】
2007298176.tif 000018
【図１７】
2007298176.tif 000019
【図１８】
2007298176.tif 000020
【図１９】
2007298176.tif 000021
【図２０】
2007298176.tif 000022
【図２１】
2007298176.tif 000023
【図２２】
2007298176.tif 000024
【図２３】
2007298176.tif 000025
【外国語明細書】
2007298176.tif 000026
2007298176.tif 000027
2007298176.tif 000028
2007298176.tif 000029
2007298176.tif 000030
2007298176.tif 000031
2007298176.tif 000032
2007298176.tif 000033
2007298176.tif 000034
2007298176.tif 000035
2007298176.tif 000036
2007298176.tif 000037
2007298176.tif 000038
2007298176.tif 000039
2007298176.tif 000040
2007298176.tif 000041
2007298176.tif 000042
2007298176.tif 000043
2007298176.tif 000044
2007298176.tif 000045
2007298176.tif 000046
2007298176.tif 000047
2007298176.tif 000048
2007298176.tif 000049
2007298176.tif 000050
2007298176.tif 000051
2007298176.tif 000052
2007298176.tif 000053
2007298176.tif 000054
2007298176.tif 000055
2007298176.tif 000056
2007298176.tif 000057
2007298176.tif 000058
2007298176.tif 000059
2007298176.tif 000060
2007298176.tif 000061
2007298176.tif 000062
2007298176.tif 000063
2007298176.tif 000064
2007298176.tif 000065